(57)【要約】【課題】バッフル板の固定具に対する着脱作業を容易に行うことができるヒュームフードを提供する。【解決手段】処理室３の背面板１７の前面にバッフル板１９を固定具２４を用いて取り付け、バッフル板１９により上下方向の排気通路を形成するヒュームフードであって、固定具２４は、バッフル板１９の下端縁を滑動させる滑動面７８を有する基台７０を備え、滑動面７８が基台７０の前端部まで延設されており、かつバッフル板１９の落下を阻止する落下阻止片７１が基台７０に取り付けられる。【選択図】図５
2014091113.tif 000002
【特許請求の範囲】
【請求項１】
処理室の背面板の前面にバッフル板を固定具を用いて取り付け、該バッフル板により上下方向の排気通路を形成するヒュームフードであって、
前記固定具は、前記バッフル板の下端縁を滑動させる滑動面を有する基台を備え、前記滑動面が前記基台の前端部まで延設されており、かつ前記バッフル板の落下を阻止する落下阻止片が前記基台に取り付けられることを特徴とするヒュームフード。
【請求項２】
前記落下阻止片は、前記基台に対して左右方向にスライド移動されることで、前記基台に着脱されることを特徴とする請求項１に記載のヒュームフード。
【請求項３】
前記落下阻止片及び前記基台には、互いに係合される左右方向に延びる係合条が形成され、該各係合条の少なくともいずれか一方は、該各係合条が互いに係合された状態で、前記落下阻止片の左右いずれか一方向への移動を停止する停止部を有することを特徴とする請求項２に記載のヒュームフード。
【請求項４】
前記固定具は、前記処置室の背面板の上部側に配置される上部バッフル板の下端縁を支持するものであり、前記基台は、前記処置室の背面板の下部側に配置される下部バッフル板の上端縁に掛止される掛止部を有することを特徴とする請求項１ないし３のいずれかに記載のヒュームフード。
【発明の詳細な説明】
【技術分野】
【０００１】
本発明は、化学実験等を行う際に使用されるヒュームフードに関する。
【背景技術】
【０００２】
従来、ドラフトチャンバ（ヒュームフード）は、作業部（処理室）内の作業空間の後部において、背面板の前方に、斜前上方に向かって傾斜する上部バッフル板が取り付けられている。この上部バッフル板の下端は、筒状スペーサを介して背面板に設けられた下部支持部材（固定具）の前端部上面に形成された凹溝により支持されている（例えば、特許文献１参照）。
【先行技術文献】
【特許文献】
【０００３】
【特許文献１】特許第４５７９０４７号公報（第４〜５頁、第２図）
【発明の概要】
【発明が解決しようとする課題】
【０００４】
しかしながら、特許文献１に記載のドラフトチャンバ（ヒュームフード）にあっては、作業部（処理室）内の清掃時やメンテナンス時などに、上部バッフル板を下部支持部材（固定具）に対して取り付け、または取り外しをする際に、作業部という狭い空間内で、下部支持部材の凹溝に、上部バッフル板の下端を支持部材の凹溝に対して落とし込んだり、または上部バッフル板の下端を支持部材の凹溝から持ち上げて外したりする作業を行わなければならず、その着脱作業に手間が掛かるという問題がある。
【０００５】
本発明は、このような問題点に着目してなされたもので、バッフル板の固定具に対する着脱作業を容易に行うことができるヒュームフードを提供することを目的とする。
【課題を解決するための手段】
【０００６】
前記課題を解決するために、本発明のヒュームフードは、
処理室の背面板の前面にバッフル板を固定具を用いて取り付け、該バッフル板により上下方向の排気通路を形成するヒュームフードであって、
前記固定具は、前記バッフル板の下端縁を滑動させる滑動面を有する基台を備え、前記滑動面が前記基台の前端部まで延設されており、かつ前記バッフル板の落下を阻止する落下阻止片が前記基台に取り付けられることを特徴としている。
この特徴によれば、バッフル板を固定具に取り付ける際に、落下阻止片を基台から外せば、バッフル板の下端縁を基台の滑動面上を滑動させて移動させることでバッフル板を基台に設けることができる。また、バッフル板を固定具を取り外す際に、落下阻止片を基台から外せば、バッフル板の下端縁を基台の滑動面上を滑動させて移動させることでバッフル板を基台から取り外すことができる。そのためバッフル板の下端縁を固定具に対して落とし込んだり、またはバッフル板の下端縁を固定具から持ち上げて外したりすることなく、バッフル板を固定具に着脱させることができるので、バッフル板の固定具に対する着脱作業を容易に行うことができる。
【０００７】
本発明のヒュームフードは、
前記落下阻止片は、前記基台に対して左右方向にスライド移動されることで、前記基台に着脱されることを特徴としている。
この特徴によれば、落下阻止片に対しては、上方向または後方向からバッフル板の荷重が加わるようになっているため、落下阻止片が基台に対して左右方向にスライド移動されて着脱されることで、バッフル板から落下阻止片に加わる荷重が、落下阻止片の着脱方向と異なる方向から加わるようになり、落下阻止片と基台との取付状態に影響を与えずに済むようになり、特に、落下阻止片を基台から取り外す作業を行い易くなる。
【０００８】
本発明のヒュームフードは、
前記落下阻止片及び前記基台には、互いに係合される左右方向に延びる係合条が形成され、該各係合条の少なくともいずれか一方は、該各係合条が互いに係合された状態で、前記落下阻止片の左右いずれか一方向への移動を停止する停止部を有することを特徴としている。
この特徴によれば、落下阻止片を基台に取り付ける際に、落下阻止片の取付方向である一方向への移動が停止部により停止されるため、落下阻止片の基台に対する左右方向の位置決めがなされるようになるので、落下阻止片を基台における左右方向の定位置に配置することができる。
【０００９】
本発明のヒュームフードは、
前記固定具は、前記処置室の背面板の上部側に配置される上部バッフル板の下端縁を支持するものであり、前記基台は、前記処置室の背面板の下部側に配置される下部バッフル板の上端縁に掛止される掛止部を有することを特徴としている。
この特徴によれば、基台の掛止部が下部バッフル板の上端縁に掛止されるので、この下部バッフル板の上端縁を利用して、上部バッフル板の下端縁が載置される基台の滑動面を水平に保持することができる。
【図面の簡単な説明】
【００１０】
【図１】実施例におけるヒュームフードを示す斜視図である。
【図２】ヒュームフードを示す正面図である。
【図３】ヒュームフードを示す図２におけるＡ−Ａ縦断側面図である。
【図４】固定具及び上部バッフル板を正面側から見た状態を示す斜視図である。
【図５】固定具及び上部バッフル板を示す縦断側面図である。
【図６】基台を正面側から見た状態を示す斜視図である。
【図７】基台を示す正面図である。
【図８】基台を示す側面図である。
【図９】落下阻止片を背面側から見た状態を示す斜視図である。
【図１０】落下阻止片を示す背面図である。
【図１１】落下阻止片を示す側面図である。
【発明を実施するための形態】
【００１１】
本発明に係るヒュームフードを実施するための形態を実施例に基づいて以下に説明する。
【実施例】
【００１２】
実施例に係るヒュームフードにつき、図１から図１１を参照して説明する。以下、図３及び図５の紙面左側をヒュームフードの正面側（前方側）として説明する。図１の符号１は、化学実験等を行う際に使用されるヒュームフードである。このヒュームフード１は、筐体２の内部に処理室３を有し（図３参照）、この処理室３内の空気を排気するための排気装置４が筐体２の上部に設けられている。
【００１３】
図２及び図３に示すように、筐体２の前面側の開口は、その上方に強化ガラス等で構成された固定ガラス板５が固定されている。また、固定ガラス板５の下方位置には、筐体２の開口を開閉するために昇降される前面扉６が設けられている。更に、この前面扉６は、固定ガラス板５と同様に強化ガラス等で構成された昇降ガラス板７を有しており、この昇降ガラス板７の下端縁には、使用者が把持する把持辺８が取り付けられている。使用者は、この把持辺８を掴んで前面扉６を昇降させることで、筐体２の開口を開閉させることができる。
【００１４】
また、前面扉６は、その左右下端がワイヤ等で構成された吊架線材９，９に接続された状態で吊架されている。図１に示すように、前面扉６を吊架する左右一対の吊架線材９，９は、複数の滑車１０を介して筐体２の一方の側部（本実施例では左側部）に設けられた重量のある金属板等で構成される錘１１に接続されている。この錘１１の重量と前面扉６の重量とを同一にしてバランスを取ることで、使用者が前面扉６を軽い力で昇降できるようになっている。
【００１５】
図２に示すように、筐体２の前面側の上部位置は、開閉可能な化粧パネル１２で覆われている。また、この化粧パネル１２を開放することで、筐体２の上部位置にある吊架線材９、滑車１０、排気装置４、及び制御基板（図示略）等のメンテナンスを行うことができる。更に、化粧パネル１２には、ヒュームフード１の作動状態を示す複数のランプ１３が設けられており、このランプ１３の点灯を制御する点灯基板（図示略）が化粧パネル１２の裏面側に設けられている。
【００１６】
図３に示すように、固定ガラス板５及び前面扉６は、筐体２の開口の左右側辺に設けられる左右一対のレール部材１４に保持されている。また、前面扉６は、レール部材１４内に配置される落下防止装置（図示略）を介して吊架線材９に吊架されている。この落下防止装置は、前面扉６の左右下端のそれぞれに設けられ、吊架線材９が切断されたり、吊架線材９が錘１１から外れたりした場合などの非常時に作動して、前面扉６の落下を防止するために設けられている。
【００１７】
また、前面扉６を上昇させて所定の開口量（約３分の１）まで開放した状態で、使用者が処理室３内に手を差し入れて実験を行うようにしている。なお、処理室３内で行う実験は、排気装置４を作動させながら行うようになっており、前面扉６下方の開口から処理室３内に空気が給気されるとともに、処理室３内の空気が排気装置４から排気されるようになっている。このように処理室３内を流れる空気は、常に一方向に流れるようになっており、処理室３内で発生したガス等が使用者に向かって逆流しないようになっている。更に、本実施例では、面風速が約０．５ｍ／ｓが確保されるようになっている。
【００１８】
また、前面扉６が一定の開口量以上に開かれると、前面扉６下方の開口から流れ込む給気量が排気装置４の排気量を上回り、処理室３内の空気が使用者側に向かって逆流してしまう虞がある。これを防止するめに、前面扉６が一定の開口量以上に開かないように規制するストッパ部材１６が設けられている。なお、ストッパ部材１６は、筐体２の開口の左右側辺のうち左方側にのみ設けられている（図２参照）。また、処理室３内の清掃やメンテナンスを行う際には、ストッパ部材１６を操作すると前面扉６の規制状態を解除できるようになっており、前面扉６を全開させることができる。
【００１９】
図３に示すように、筐体２を構成する背面板１７の前面側には、処理室３内の空気を排気装置４まで導くための排気通路１８を形成する上下２枚のバッフル板１９，２０が取り付けられている。これらのバッフル板１９，２０のうち、下方側に配置される下部バッフル板２０は、背面板１７の前面に設けられる円筒形状をなすスペーサ部材２１を介して取り付けられている。また、上方側に配置される上部バッフル板１９は、その上端縁が筐体２を構成する天井板２２の下面に設けられる保持フレーム２３に保持されるとともに、その下端縁が下部バッフル板２０の上部に設けられた固定具２４に保持される。
【００２０】
次に、上部バッフル板１９を取り付ける際に用いる固定具２４について図４から図１１を参照して詳述する。なお、上部バッフル板１９の下端縁は、左右方向に並設された３つの固定具２４により保持されており、これらの固定具２４は同一構成となっているので、所定の１つの固定具２４を例として以下に説明する。
【００２１】
図４に示すように、固定具２４は、下部バッフル板２０の上部に設けられた基台７０と、この基台７０の先端部に着脱可能に取り付けられ、上部バッフル板１９の落下を阻止する落下阻止片７１と、から構成されている。なお、基台７０及び落下阻止片７１は、ポリプロピレン等の合成樹脂で形成されている。更に、本実施例における基台７０及び落下阻止片７１は、樹脂成形が可能になっており、低コストで基台７０及び落下阻止片７１を量産することができる。
【００２２】
また、基台７０は、側面視で前方側に行くに従って窄まる略三角形状をなしている（図８参照）。図５に示すように、基台７０は、その背面側が下部バッフル板２０の上端部近傍の前面側に接触した状態で、下部バッフル板２０の上端縁に掛止される掛止部７２を有している。なお、この掛止部７２は、基台７０の背面上縁辺が後方に突出されることで形成されている。
【００２３】
更に、基台７０の下部には、取付ボルト等の螺合部材７３が挿通される挿通孔７４が形成されている。この挿通孔７４に前方側から挿通された螺合部材７３が、下部バッフル板２０の配置孔７５に配置されたスペーサ部材２１に螺着されることで、基台７０が下部バッフル板２０に固定されている。
【００２４】
なお、スペーサ部材２１は、背面板１７の後方から座金７６を介して挿通された螺合部材７７により固定されている。また、スペーサ部材２１は、固定具２４と同様に左右方向に３つ設けられており、下部バッフル板２０は、その配置孔７５にスペーサ部材２１に先端部が嵌合され、下部バッフル板２０の上端縁が水平をなすように取り付けられている。
【００２５】
図５及び図６に示すように、基台７０には、上部バッフル板１９の下端縁を滑動させる滑動面７８が形成されている。この滑動面７８は、上部バッフル板１９を載置できる水平面となっている。また、基台７０には、滑動面７８の左右端部に傾斜部７９が設けられており、上部バッフル板１９が多少後方にずれても、この傾斜部７９により上部バッフル板１９の下端縁が滑動面７８の前方側に寄せられるようになる。また、図７に示すように、基台７０の前端部には、落下阻止片７１を取り付けるための左右方向に延びる係合条８０が形成されている。
【００２６】
図４に示すように、基台７０の先端部に取り付けられる落下阻止片７１は、正面視で正方形状をなす部材となっている。また、図５及び図１０に示すように、この落下阻止片７１の背面側には、基台７０の前端部に係合される係合条８１が形成されている。更に、基台７０及び落下阻止片７１にそれぞれ形成された係合条８０，８１は、側面視で互いに反転される略Ｌ字形状をなしている。
【００２７】
また、落下阻止片７１を基台７０に取り付ける際には、係合条８０，８１同士を合わせた状態で、落下阻止片７１を左右方向にスライド移動させるようにして係合条８０，８１同士を係合させる。なお、本実施例では、基台７０を正面から見たときに、落下阻止片７１を右側から左側までスライド移動させることで、落下阻止片７１を取り付けられるようになっている。係合条８０，８１同士が係合された状態では、落下阻止片７１が前後及び上下方向に移動不能に取り付けられる。
【００２８】
図７及び図１０に示すように、基台７０の係合条８０の一端側及び落下阻止片７１の係合条８１の他端側には、それぞれ係合条８０，８１の溝内に突出される壁部として構成された停止部８２，８３が形成されている。そして、落下阻止片７１は、基台７０の係合条８０に沿ってスライド移動される際に、その一端側の停止部８２に当接されることで、落下阻止片７１のスライド移動が停止される。同様に、落下阻止片７１の係合条８１の他端側の停止部８３に基台７０が当接されることでも、落下阻止片７１のスライド移動が停止される。
【００２９】
図５に示すように、落下阻止片７１が基台７０に取り付けられると、基台７０の滑動面７８の先端部から落下阻止片７１が立設されるようになる。そのため、落下阻止片７１により滑動面７８に載置された上部バッフル板１９の下端縁の落下を阻止することができる。
【００３０】
図９から図１１に示すように、落下阻止片７１の背面側の中央部には、傾斜部８４が設けられており、上部バッフル板１９が多少後方にずれても、この傾斜部８４により上部バッフル板１９の下端縁が滑動面７８に寄せられるようになる。なお、この傾斜部８４は、落下阻止片７１の補強部ともなっている。
【００３１】
図３及び図５に示すように、上部バッフル板１９を取り付ける際には、まず、基台７０から落下阻止片７１を外した状態にしておく。そして、上部バッフル板１９の上端縁を前述した天井板２２の保持フレーム２３に保持させる。なお、保持フレーム２３は、天井板２２の左右方向に延設されるフレーム状の部材であり、その下面には、上部バッフル板１９の上端縁が嵌合される溝が形成されている。
【００３２】
そして、上部バッフル板１９の下端縁と基台７０の滑動面７８とが同じ高さ位置になるまで持ち上げて、上部バッフル板１９の下端縁を前方から後方に向かって水平方向に移動させることで、上部バッフル板１９を基台７０上に載置する。そして、基台７０に落下阻止片７１を取り付けて作業を完了する。
【００３３】
なお、上部バッフル板１９を取り外す際には、まず、基台７０から落下阻止片７１を外した状態にしておく。そして、上部バッフル板１９の下端縁を後方から前方に向かって水平方向に移動させることで、上部バッフル板１９の下端縁が基台７０の滑動面７８上で滑動されて基台７０から外れるとともに、上部バッフル板１９の上端縁が保持フレーム２３から外れて、上部バッフル板１９が取り外される。
【００３４】
以上、本実施例における固定具２４にあっては、固定具２４が、上部バッフル板１９の下端縁を滑動させる滑動面７８を有する基台７０を備え、滑動面７８が基台７０の前端部まで延設されており、かつ上部バッフル板１９の落下を阻止する落下阻止片７１が基台に取り付けられることで、上部バッフル板１９を固定具２４に取り付ける際に、落下阻止片７１を基台７０から外せば、上部バッフル板１９の下端縁を基台７０の滑動面７８上を滑動させて移動させることで上部バッフル板１９を基台７０に設けることができる。また、上部バッフル板１９を固定具２４を取り外す際に、落下阻止片７１を基台７０から外せば、上部バッフル板１９の下端縁を基台７０の滑動面７８上を滑動させて移動させることで上部バッフル板１９を基台７０から取り外すことができる。そのため上部バッフル板１９の下端縁を固定具２４に対して落とし込んだり、または上部バッフル板１９の下端縁を固定具２４から持ち上げて外したりすることなく、上部バッフル板１９を固定具２４に着脱させることができるので、上部バッフル板１９の固定具２４に対する着脱作業を容易に行うことができる。
【００３５】
また、落下阻止片７１は、基台７０に対して左右方向にスライド移動されることで、基台７０に着脱されることで、落下阻止片７１に対しては、上方向または後方向から上部バッフル板１９の荷重が加わるようになっているため、落下阻止片７１が基台７０に対して左右方向にスライド移動されて着脱されることで、上部バッフル板１９から落下阻止片７１に加わる荷重が、落下阻止片７１の着脱方向と異なる方向から加わるようになり、落下阻止片７１と基台７０との取付状態に影響を与えずに済むようになり、特に、落下阻止片７１を基台７０から取り外す作業を行い易くなる。
【００３６】
また、落下阻止片７１及び基台７０には、互いに係合される左右方向に延びる係合条８０，８１が形成され、各係合条８０，８１は、各係合条８０，８１が互いに係合された状態で、落下阻止片７１の左右いずれか一方向への移動を停止する停止部８２，８３を有することで、落下阻止片７１を基台７０に取り付ける際に、落下阻止片７１の取付方向である一方向への移動が停止部８２，８３により停止されるため、落下阻止片７１の基台７０に対する左右方向の位置決めがなされるようになるので、落下阻止片７１を基台７０における左右方向の定位置に配置することができる。
【００３７】
また、固定具２４は、処理室３の背面板の上部側に配置される上部バッフル板１９の下端縁を支持するものであり、基台７０は、処理室３の背面板の下部側に配置される下部バッフル板２０の上端縁に掛止される掛止部７２を有することで、基台７０の掛止部７２が下部バッフル板２０の上端縁に掛止されるので、この下部バッフル板２０の上端縁を利用して、上部バッフル板１９の下端縁が載置される基台７０の滑動面を水平に保持することができる。
【００３８】
以上、本発明の実施例を図面により説明してきたが、具体的な構成はこれら実施例に限られるものではなく、本発明の要旨を逸脱しない範囲における変更や追加があっても本発明に含まれる。
【００３９】
例えば、前記実施例では、上部バッフル板１９の下端縁を保持するための本発明の固定具２４を用いているが、本発明の固定具２４を下部バッフル板２０の下端縁を保持するために用いてもよい。
【００４０】
また、前記実施例では、基台７０の係合条８０及び落下阻止片７１の係合条８１の双方に停止部８２，８３が設けられているが、基台７０の係合条８０または落下阻止片７１の係合条８１のいずれか一方に停止部が設けられる態様であっても、落下阻止片７１の位置決めを行うことができる。
【符号の説明】
【００４１】
１                ヒュームフード
３                処理室
４                排気装置
１８              排気通路
１９              上部バッフル板
２０              下部バッフル板
２４              固定具
７０              基台
７１              落下阻止片
７２              掛止部
７８              滑動面
８０，８１        係合条
８２，８３        停止部
【図１】
2014091113.tif 000003
【図２】
2014091113.tif 000004
【図３】
2014091113.tif 000005
【図４】
2014091113.tif 000006
【図５】
2014091113.tif 000007
【図６】
2014091113.tif 000008
【図７】
2014091113.tif 000009
【図８】
2014091113.tif 000010
【図９】
2014091113.tif 000011
【図１０】
2014091113.tif 000012
【図１１】
2014091113.tif 000013